(57)【特許請求の範囲】
【請求項１】
複数の画像を第１方向に一列に並べて表示する表示部と、
前記表示部に対するタッチ位置を検出する検出部と、
前記表示部に表示された画像を制御する制御部と、
を備え、
前記検出部は、前記複数の画像のうち第１画像と前記第１画像の一方隣の第２画像とに対するタッチ位置がピンチインされたことを検出し、
前記制御部は、前記検出部の検出に基づいて、前記第１画像と、前記第１画像の前記一方隣に並ぶ２つ以上の第１所定数の画像とを１つの画像に集約する、表示装置。
【請求項２】
前記第１画像の前記一方隣に並ぶ画像の数が前記第１所定数に対して第２所定数不足する場合は、前記制御部は、前記第１画像と、前記第１画像の前記一方隣に並ぶ全ての画像と、前記第１画像の他方隣に並ぶ前記第２所定数の画像とを１つの画像に集約する、請求項１に記載の表示装置。
【請求項３】
前記第１画像は、画像が集約された集約画像であり、
前記第２画像は、画像が集約されていない非集約画像である、請求項１又は請求項２に記載の表示装置。
【請求項４】
前記検出部は、前記複数の画像のうちの第３画像における前記第１方向の一方側の片半領域と他方側の片半領域とに対するタッチ位置がピンチインされたことを検出し、
前記制御部は、前記検出部の検出に基づいて、前記第３画像と、前記第３画像の前記一方側に並ぶ１つ以上の第３所定数の画像と、前記第３画像の前記他方側に並ぶ前記第３所定数の画像とを１つの画像に集約する、請求項１〜請求項３の何れかの１項に記載の表示装置。
【請求項５】
前記表示部は、画像を集約した集約画像を表示し、
前記検出部は、前記集約画像に集約された複数の画像のうち、第２方向に並ぶ２つの画像の各々に対するタッチ位置がピンチアウトされたことを検出し、
前記制御部は、前記検出部の検出に基づいて、前記集約画像のうち、前記２つの画像に対しては個別に集約を解除し、残りの画像に対しては集約を維持する、請求項１〜請求項４の何れかの１項に記載の表示装置。
【請求項６】
前記表示部は、画像を集約した集約画像を表示し、
前記検出部は、前記集約画像に集約された複数の画像のうち、第３方向に沿って隣り合う２つの画像の各々に対するタッチ位置がピンチアウトされたことを検出し、
前記制御部は、前記検出部の検出に基づいて、前記２つの画像の間を通る境界線を境にして、前記集約画像を２つの画像に分離する、請求項１〜請求項５の何れかの１項に記載の表示装置。
【発明の詳細な説明】
【技術分野】
【０００１】
本発明は、表示装置に関する。
【背景技術】
【０００２】
従来の表示装置は、複数の画像を一列に並べて表示部にプレビュー表示する。そして、表示装置は、複数の画像のうち、表示部に対するタッチ操作によって選択された複数（例えばＮ個）の画像を１つの画像に集約する。
【０００３】
そして、従来の表示装置では、複数の画像のうち、連続して並ぶＮ個の画像を１つの画像に集約する場合は、Ｎ個の画像のうちの両端の画像の各々に対する２つのタッチ位置がピンチインされる。この結果、Ｎ個の画像は、１つの画像に集約されてＮin１の画像になる（例えば特許文献１）。
【先行技術文献】
【特許文献】
【０００４】
【特許文献１】２０１４−１８８９８６号公報
【発明の概要】
【発明が解決しようとする課題】
【０００５】
従来の表示装置では、集約する画像の数（Ｎ個）が多くなると、連続して並ぶＮ個の画像のうちの両端の画像の間の距離が長くなる。従って、２つのタッチ位置の間隔が長くなる。この結果、片手の２本の指で、両端の画像の各々をマルチタッチすることが困難になり、タッチ操作の操作性が低下する。
【０００６】
本発明は上記課題に鑑みてなされたものであり、その目的は、一列に並んだ多数の画像を１つの画像に集約する場合、２つのタッチ位置の間隔を短くでき、タッチ操作の操作性を向上させることができる表示装置を提供することにある。
【課題を解決するための手段】
【０００７】
本発明に係る表示装置は、表示部と、検出部と、制御部とを備える。前記表示部は、複数の画像を第１方向に一列に並べて表示する。前記検出部は、前記表示部に対するタッチ位置を検出する。前記制御部は、前記表示部に表示された画像を制御する。前記検出部は、前記複数の画像のうち第１画像と前記第１画像の一方隣の第２画像とに対するタッチ位置がピンチインされたことを検出し、前記制御部は、前記検出部の検出に基づいて、前記第１画像と、前記第１画像の前記一方隣に並ぶ２つ以上の第１所定数の画像とを１つの画像に集約する。
【発明の効果】
【０００８】
本発明によれば、一列に並んだ多数の画像を１つの画像に集約する場合、２つのタッチ位置の間隔を短くでき、タッチ操作の操作性を向上させることができる。
【図面の簡単な説明】
【０００９】
【図１】第１実施形態に係る表示装置の構成図である。
【図２】（ａ）は、第１集約の具体例を示す図であり、（ｂ）は、（ａ）に示す第１集約によって集約された集約画像の一例を示す図である。
【図３】（ａ）は、第２集約の具体例を示す図であり、（ｂ）は、（ａ）に示す第２集約によって集約された集約画像の一例を示す図である。
【図４】（ａ）は、第２集約の他の具体例を示す図であり、（ｂ）は、（ａ）に示す第２集約によって集約された集約画像の一例を示す図である。
【図５】（ａ）は、第３集約の具体例を示す図であり、（ｂ）は、（ａ）に示す第３集約によって集約された集約画像の一例を示す図である。
【図６】（ａ）は、第４集約の具体例を示す図であり、（ｂ）は、（ａ）に示す第４集約によって集約された集約画像の一例を示す図である。
【図７】（ａ）は、第１集約解除の具体例を示す図であり、（ｂ）は、（ａ）に示す第１集約解除によって集約解除された画像の一例を示す図である。
【図８】（ａ）は、第１集約解除の他の具体例を示す図であり、（ｂ）は、（ａ）に示す第１集約解除によって集約解除された画像の一例を示す図である。
【図９】（ａ）は、第２集約解除の具体例を示す図であり、（ｂ）は、（ａ）に示す第２集約解除によって集約解除された集約画像の一例を示す図である。
【発明を実施するための形態】
【００１０】
＜第１実施形態＞
以下、本発明の実施形態について、図面を参照しながら説明する。なお、図中、同一又は相当部分については同一の参照符号を付して説明を繰り返さない。
【００１１】
図１〜図４を参照して、本実施形態に係る表示装置について説明する。図１は、本実施形態に係る表示装置の構成図である。
【００１２】
本実施形態に係る表示装置は、複数の画像を一列に並べて表示し、複数の画像のうち、タッチ操作により選択された複数の画像を１つの画像に集約する。本実施形態に係る表示装置は、例えば複合機の操作パネルとして使用される。
【００１３】
図１に示すように、本実施形態に係る表示装置１は、表示部２と、検出部３と、記憶部４と、制御部５とを備える。
【００１４】
表示部２は、画像を表示する。表示部２は、例えば液晶表示部である。
【００１５】
検出部３は、表示部２に対するタッチ位置を検出する。また、検出部３は、２つのタッチ位置を検出したとき、２つのタッチ位置がピンチインされたか否か又はピンチアウトされたか否かを検出する。タッチ位置とは、使用者が例えば指で表示部２をタッチしたときの位置である。検出部３は、例えばタッチパネルであり、表示部２上に重ねて配置される。
【００１６】
記憶部４は、表示部２に表示される複数の画像を保存する。記憶部４は、例えば不揮発性の記憶装置である。
【００１７】
制御部５は、表示装置１の各部（例えば表示部２、検出部３及び記憶部４）を制御する。制御部５は、例えば、ＣＰＵ（Central Processing Unit）、ＲＡＭ（Random Access Memory）、及び、ＲＯＭ（Read Only Memory）を備える。ＣＰＵが例えばＲＯＭに格納されたプログラムを実行することで、ＣＰＵが制御部５として機能する。
【００１８】
制御部５は、検出部３の検出に基づいて、表示部２に表示された画像を制御する。
【００１９】
詳しくは、制御部５は、複数の画像を表示部２の例えば横方向（第１方向）に一列に並べて表示する。複数の画像は、記憶部４に保存されている。例えば、制御部５は、複数の画像を表示部２の左側から右側に一列にページ順に並べて表示する。また、制御部５は、複数の画像のうち、例えば４個ずつ画像を表示部２に表示し、４個の画像以外の画像については、表示部２に表示される画像をスクロールさせることで表示する。
【００２０】
また、検出部３が、複数の画像のうちの隣り合う２つの非集約画像の各々に対するタッチ位置がピンチインされたことを検出する。制御部５は、検出部３の検出に基づいて、第１集約を実行する。第１集約は、２つの非集約画像を１つの画像に集約する処理である。そして、制御部５は、集約した画像を表示部２に表示する。第１集約の具体例については、図２を参照して後述する。
【００２１】
また、検出部３が、複数の画像のうち、集約画像（第１画像）と、集約画像の一方隣の非集約画像（第２画像）とに対するタッチ位置がピンチインされたことを検出する。制御部５は、検出部３の検出に基づいて、第２集約を実行する。第２集約は、集約画像と、第１一方側画像とを１つの画像に集約する処理である。第１一方側画像とは、集約画像の一方隣に並ぶ第１所定数の画像である。そして、制御部５は、集約した画像を表示部２に表示する。第２集約の具体例については、図３及び図４を参照して後述する。
【００２２】
なお、集約画像とは、複数（例えばＮ個）の画像が１つの画像に集約された画像である。第１所定数とは、予め決められた２以上の数（例えばＮ１）である。第１所定数の画像とは、集約画像の一方隣に並ぶ画像のうち、集約画像側から数えて第１所定数番目までの画像である。
【００２３】
図１を参照して説明したように、ピンチインされる集約画像及び非集約画像は、互いに隣り合う。従って、集約画像と非集約画像とに対するタッチ位置の間隔は、短い。この結果、一列に並んだ多数の画像（即ち集約画像及び第１所定数の画像）が１つの画像に集約される場合、２つのタッチ位置の間隔が短くなり、タッチ操作の操作性が向上する。
【００２４】
図２を参照して、第１集約の具体例を説明する。図２（ａ）は、第１集約の具体例を示す図である。図２（ｂ）は、図２（ａ）に示す第１集約によって集約された集約画像の一例を示す図である。
【００２５】
図２（ａ）に示すように、表示部２には、４つの画像Ｇ２，Ｇ３，Ｇ４，Ｇ５が表示される。４つの画像は、非集約画像である。４つの画像Ｇ２，Ｇ３，Ｇ４，Ｇ５は、ページ順に並ぶ複数の画像Ｇ１，Ｇ２，…，Ｇｍのうちの２ページ目から５ページ目までの画像である。４つの画像Ｇ２，Ｇ３，Ｇ４，Ｇ５は、左側から右側にページ順に並べられて表示される。
【００２６】
使用者が、画像Ｇ３と画像Ｇ４とをマルチタッチしてピンチイン操作する。画像Ｇ３と画像Ｇ４とは、互いに隣り合っている。そして、検出部３が、画像Ｇ３と画像Ｇ４とに対するタッチ位置がピンチインされたことを検出する。
【００２７】
そして、図２（ｂ）に示すように、制御部５は、検出部３の検出に基づいて、画像Ｇ３と画像Ｇ４とを１つの画像に集約して、２in１画像である画像Ｇ３４を生成する。そして、制御部５は、画像Ｇ３４を表示部２に表示する。画像Ｇ３４では、画像Ｇ３及び画像Ｇ４は、所定の縮小率で縮小され、左側から右側に並べて集約されている。
【００２８】
図３を参照して、第２集約の具体例を説明する。図３（ａ）は、第２集約の具体例を示す図である。図３（ｂ）は、図３（ａ）に示す第２集約によって集約された集約画像の一例を示す図である。
【００２９】
図３（ａ）に示すように、表示部２には、４つの画像Ｇ２，Ｇ３４，Ｇ５，Ｇ６が表示される。画像Ｇ２，Ｇ５，Ｇ６は、非集約画像である。画像Ｇ３４は、画像Ｇ３と画像Ｇ４とが集約された集約画像である。表示部２には、画像Ｇ１は表示されていないが、画像Ｇ２の左隣に画像Ｇ１が並んでいる。画像Ｇ１は、非集約画像である。
【００３０】
使用者が、画像Ｇ３４（第１画像）の左半領域と、画像Ｇ３４の左隣（一方隣）の画像Ｇ２（第２画像）とをマルチタッチしてピンチイン操作する。そして、検出部３が、画像Ｇ３４の左半領域と画像Ｇ２とに対するタッチ位置がピンチインされたことを検出する。
【００３１】
そして、図３（ｂ）に示すように、制御部５は、検出部３の検出に基づいて、画像Ｇ３４と、画像Ｇ３４の左隣に並ぶ２つ（第１所定数）の画像Ｇ１，Ｇ２とを１つの画像に集約して、４in１画像である画像Ｇ１４を生成する。そして、制御部５は、画像Ｇ１４を表示部２に表示する。
【００３２】
画像Ｇ１４では、４つの画像Ｇ１，Ｇ２，Ｇ３，Ｇ４が、所定の縮小率で縮小され、２行２列に並べられて集約されている。画像Ｇ１４の上半領域には、画像Ｇ１及び画像Ｇ２が、左側から右側に並べられて集約されている。画像Ｇ１４の下半領域には、画像Ｇ３及び画像Ｇ４が、左側から右側に並べられて集約されている。
【００３３】
図３を参照して説明した具体例では、ピンチイン操作の際、画像Ｇ３４の左半領域がタッチされる必要がある。従って、画像Ｇ３４の右半領域がタッチされた場合は、第２集約は実行されない。図３を参照して説明した具体例において、ピンチイン操作の際、画像Ｇ３４の左半領域と右半領域との何れの領域がタッチされても、第２集約が実行されるようにしてもよい。
【００３４】
図４を参照して、第２集約の他の具体例を説明する。図４（ａ）は、第２集約の他の具体例を示す図である。図４（ｂ）は、図４（ａ）に示す第２集約によって集約された集約画像の一例を示す図である。
【００３５】
図３を参照して説明した具体例では、画像Ｇ３４と、画像Ｇ３４の左隣に並ぶ２つの画像（即ち画像Ｇ３４の前２ページの画像）Ｇ１，Ｇ２とが集約されるが、図４を参照して説明する他の具体例では、画像Ｇ３４と、画像Ｇ３４の右隣に並ぶ２つの画像（即ち画像Ｇ３４の後２ページの画像）Ｇ５，Ｇ６とが集約される。
【００３６】
図４（ａ）に示すように、表示部２には、４つの画像Ｇ２，Ｇ３４，Ｇ５，Ｇ６が表示される。そして、使用者が、画像Ｇ３４（第１画像）の右半領域と、画像Ｇ３４の右隣（一方隣）の画像Ｇ５（第２画像）とをマルチタッチしてピンチイン操作する。そして、検出部３が、画像Ｇ３４の右半領域と画像Ｇ５とに対するタッチ位置がピンチインされたことを検出する。
【００３７】
そして、図４（ｂ）に示すように、制御部５は、検出部３の検出に基づいて、画像Ｇ３４と、画像Ｇ３４の右隣に並ぶ２つ（第１所定数）の画像Ｇ５，Ｇ６とを１つの画像に集約して、４in１画像である画像Ｇ３６を生成する。そして、制御部５は、画像Ｇ３６を表示部２に表示する。
【００３８】
画像Ｇ３６では、４つの画像Ｇ３，Ｇ４，Ｇ５，Ｇ６が、所定の縮小率で縮小され、２行２列に並べられて集約されている。画像Ｇ３６の上半領域には、画像Ｇ３及び画像Ｇ４が、左側から右側に並べられて集約されている。画像Ｇ３６の下半領域には、画像Ｇ５及び画像Ｇ６が、左側から右側に並べられて集約されている。
【００３９】
図４を参照して説明した具体例では、ピンチイン操作の際、画像Ｇ３４の右半領域がタッチされる必要がある。従って、画像Ｇ３４の左半領域がタッチされた場合は、第２集約は実行されない。図４を参照して説明した具体例において、ピンチイン操作の際、画像Ｇ３４の左半領域と右半領域との何れの領域がタッチされても、第２集約が実行されるようにしてもよい。
【００４０】
なお、第１実施形態では、第１画像は、集約画像であるが、非集約画像であってもよい。また、第２画像は、非集約画像であるが、集約画像であってもよい。
【００４１】
＜第２実施形態＞
図５を参照して、本実施形態に係る表示装置について説明する。以下の説明では、第１実施形態と同じ点は説明を省略し、第１実施形態と異なる点を説明する。
【００４２】
第１実施形態では、集約画像と、集約画像の一方隣の非集約画像とに対するタッチ位置がピンチインされると、集約画像と、集約画像の一方隣に並ぶ第１所定数の画像とが１つの画像に集約される。この場合、集約画像の一方隣に並ぶ画像の数が第１所定数に満たない場合がある。本実施形態では、集約画像の一方隣に並ぶ画像の数が第１所定数に満たない場合は、集約画像の他方隣に並ぶ画像から不足分を補う。
【００４３】
詳しくは、本実施形態では、制御部５は、集約画像の一方隣に並ぶ画像の数が第１所定数に対して第２所定数不足する場合は、第２集約の代わりに、第３集約を実行する。第３集約は、集約画像と、第２一方側画像と、第２他方側画像とを１つの画像に集約する処理である。第２一方側画像とは、集約画像の一方隣に並ぶ全ての画像である。第２他方側画像とは、集約画像の他方隣に並ぶ第２所定数の画像である。
【００４４】
図５を参照して、第３集約の具体例を説明する。図５（ａ）は、第３集約の具体例を示す図である。図５（ｂ）は、図５（ａ）に示す第３集約によって集約された集約画像の一例を示す図である。
【００４５】
図５（ａ）に示すように、表示部２には、４つの画像Ｇ１，Ｇ２３，Ｇ４，Ｇ５が表示される。画像Ｇ１，Ｇ４，Ｇ５は、非集約画像である。画像Ｇ２３は、画像Ｇ２及び画像Ｇ３が集約された集約画像である。画像Ｇ２３では、画像Ｇ２及び画像Ｇ３が、所定の縮小率で縮小され、左側から右側に並べられて集約されている。
【００４６】
使用者が、画像Ｇ２３（第１画像）の左半領域と、画像Ｇ２３の左隣（一方隣）の画像Ｇ１（第２画像）とをマルチタッチしてピンチイン操作する。このようにピンチイン操作された場合は、制御部５は、第２集約を実行する。即ち、制御部５は、画像Ｇ２３と、画像Ｇ２３の左隣に並ぶ第１所定数（例えば２つ）の画像とを１つの画像に集約する。しかし、画像Ｇ２３の左隣に並ぶ画像の数は、画像Ｇ１の１つだけであり、２つに対して１つ不足する。
【００４７】
画像Ｇ２３の左隣に並ぶ画像の数が第２所定数不足する場合は、図５（ｂ）に示すように、制御部５は、画像Ｇ２３と、画像Ｇ２３の左隣に並ぶ全ての画像である画像Ｇ１と、画像Ｇ４とを１つの画像に集約して、４in１画像である画像Ｇ１４を生成する。そして、制御部５は、画像Ｇ１４を表示部２に表示する。画像Ｇ４は、画像Ｇ２３の右隣（他方隣）に並ぶ第２所定数（例えば１つ）の画像である。
【００４８】
＜第３実施形態＞
図６を参照して、本実施形態に係る表示装置について説明する。以下の説明では、第１実施形態と同じ点は説明を省略し、第１実施形態と異なる点を説明する。
【００４９】
第１実施形態では、集約画像と、集約画像の一方隣に並ぶ第１所定数（例えば２つ）の画像とが１つの画像に集約されるが、本実施形態では、集約画像（第３画像）と、第３一方側画像と、第３他方側画像とが１つの画像に集約される。第３一方側画像とは、集約画像の一方側に並ぶ第３所定数の画像である。第３他方側画像とは、集約画像の他方側に並ぶ第３所定数の画像である。第３所定数は、予め決められた１以上の数（例えばＮ３）である。
【００５０】
詳しくは、表示部２には、複数の画像が表示部２の第１方向（例えば横方向）に一列に並べて表示される。複数の画像には、集約画像が含まれる。検出部３が、集約画像における第１方向の一方側の片半領域と他方側の片半領域とに対するタッチ位置がピンチインされたことを検出する。そして、制御部５は、検出部３の検出に基づいて、第４集約を実行する。第４集約は、集約画像と、第３一方側画像と、第３他方側画像とを１つの画像に集約する処理である。
【００５１】
図６を参照して、第４集約の具体例を説明する。図６（ａ）は、第４集約の具体例を示す図である。図６（ｂ）は、図６（ａ）に示す第４集約によって集約された集約画像の一例を示す図である。
【００５２】
図６（ａ）に示すように、表示部２には、４つの画像Ｇ２，Ｇ３４，Ｇ５，Ｇ６が表示される。画像Ｇ２，Ｇ５，Ｇ６は、非集約画像である。画像Ｇ３４は、画像Ｇ３及び画像Ｇ４が集約された集約画像である。
【００５３】
使用者が、画像Ｇ３４（第３画像）の左半領域と右半領域とをマルチタッチしてピンチイン操作する。即ち、使用者が、境界線Ｋ１を跨いで画像Ｇ３４をマルチタッチしてピンチイン操作する。そして、検出部３が、画像Ｇ３４の左半領域と右半領域とに対するタッチ位置がピンチインされたことを検出する。境界線Ｋ１は、画像Ｇ３４の左半領域と右半領域との境界線である。
【００５４】
そして、図６（ｂ）に示すように、制御部５は、検出部３の検出に基づいて、画像Ｇ３４と、画像Ｇ３４の左隣（一方側）に並ぶ第３所定数（例えば１つ）の画像Ｇ２と、画像Ｇ３４の右隣（他方側）に並ぶ第３所定数（例えば１つ）の画像Ｇ５とを１つの画像に集約して、４in１画像である画像Ｇ２５を生成する。そして、制御部５は、画像Ｇ２５を表示部２に表示する。
【００５５】
画像Ｇ２５では、４つの画像Ｇ２，Ｇ３，Ｇ４，Ｇ５が、所定の縮小率で縮小され、２行２列に並べられて集約されている。画像Ｇ２５の上半領域には、画像Ｇ２及び画像Ｇ３が、左側から右側に並べられて集約されている。画像Ｇ２５の下半領域には、画像Ｇ４及び画像Ｇ５が、左側から右側に並べられて集約されている。
【００５６】
なお、第３実施形態では、第３画像は、集約画像であるが、非集約画像であってもよい。
【００５７】
＜第４実施形態＞
図７及び図８を参照して、本実施形態に係る表示装置について説明する。
【００５８】
本実施形態に係る表示装置１は、第１実施形態の機能に加えて、集約解除機能を更に備える。集約解除機能は、集約画像に集約された横方向（第２方向）に並ぶ２つの非集約画像の各々に対するタッチ位置がピンチアウトされると、２つの非集約画像を個別に集約画像の集約から解除する機能である。
【００５９】
詳しくは、表示部２には、複数の画像が表示部２の横方向に一列に並べられて表示される。複数の画像には、集約画像が含まれる。検出部３が、集約画像に集約された複数の非集約画像のうち、表示部２の横方向に並ぶ２つの非集約画像の各々に対するタッチ位置がピンチアウトされたことを検出する。制御部５は、検出部３の検出に基づいて、第１集約解除を実行する。第１集約解除は、集約画像のうち、２つの非集約画像に対しては個別に集約を解除し、残りの非集約画像に対しては集約を維持する処理である。
【００６０】
図７を参照して、第１集約解除の具体例を説明する。図７（ａ）は、第１集約解除の具体例を示す図である。図７（ｂ）は、図７（ａ）に示す第１集約解除によって集約解除された画像の一例を示す図である。
【００６１】
図７（ａ）に示すように、表示部２には、４つの画像Ｇ１４，Ｇ５，Ｇ６，Ｇ７が表示される。画像Ｇ１４は、４つの画像Ｇ１，Ｇ２，Ｇ３，Ｇ４が２行２列の配置で集約された集約画像である。画像Ｇ５，Ｇ６，Ｇ７は、非集約画像である。４つの画像Ｇ１４，Ｇ４，Ｇ５，Ｇ６は、左側から右側に一列にページ順に並んでいる。
【００６２】
使用者が、画像Ｇ１４に集約された横方向に並ぶ画像Ｇ１及び画像Ｇ２をマルチタッチしてピンチアウト操作する。そして、検出部３が、画像Ｇ１と画像Ｇ２とに対するタッチ位置がピンチアウトされたことを検出する。そして、制御部５は、検出部３の検出に基づいて、画像Ｇ１４のうち、画像Ｇ１及び画像Ｇ２に対しては、個別に集約を解除し、残りの画像Ｇ３及び画像Ｇ４に対しては、集約を維持する。
【００６３】
この結果、図７（ｂ）に示すように、画像Ｇ１４は、画像Ｇ１、画像Ｇ２及び画像Ｇ３４に分離される。画像Ｇ１及び画像Ｇ２は、集約前の大きさに拡大され、左側から右側（即ちページ順）に並べられる。また、画像Ｇ１及び画像Ｇ２は、画像Ｇ３４の左側（即ち前方ページ側）に並べられる。
【００６４】
次に図８を参照して、第１集約解除の他の具体例を説明する。図８（ａ）は、第１集約解除の他の具体例を示す図である。図８（ｂ）は、図８（ａ）に示す第１集約解除によって集約解除された画像の一例を示す図である。
【００６５】
図７を参照して説明した具体例では、画像Ｇ１４の上半領域に並ぶ２つの画像Ｇ１，Ｇ２の各々がピンチアウトされた。図８を参照して説明する他の具体例では、画像Ｇ１４の下半領域に並ぶ２つの画像Ｇ３，Ｇ４の各々がピンチアウトされる。
【００６６】
図８（ａ）に示すように、使用者が、画像Ｇ１４に集約された横方向に並ぶ画像Ｇ３及び画像Ｇ４をマルチタッチしてピンチアウト操作する。そして、検出部３が、画像Ｇ３と画像Ｇ４とに対するタッチ位置がピンチアウトされたことを検出する。制御部５は、検出部３の検出に基づいて、画像Ｇ１４のうち、画像Ｇ３及び画像Ｇ４に対しては、個別に集約を解除し、残りの画像Ｇ１及び画像Ｇ２に対しては、集約を維持する。
【００６７】
この結果、図８（ｂ）に示すように、画像Ｇ１４は、画像Ｇ１２、画像Ｇ３及び画像Ｇ４に分離される。画像Ｇ１２では、画像Ｇ１及び画像Ｇ２が、左側から右側（即ちページ順）に並べられて集約される。画像Ｇ３及び画像Ｇ４は、集約前の大きさに拡大され、左側から右側（即ちページ順）に並べられる。また、画像Ｇ３及び画像Ｇ４は、画像Ｇ１２の右側（即ち後方ページ側）に並べられる。
【００６８】
なお、図７及び図８を参照して説明した具体例において、ピンチアウトされる２つの非集約画像は、集約画像に集約されているとき、必ずしも隣り合う必要はない。
【００６９】
＜第５実施形態＞
図９を参照して、本実施形態に係る表示装置について説明する。以下の説明では、第１実施形態と同じ点は説明を省略し、第１実施形態と異なる点を説明する。
【００７０】
第４実施形態では、検出部３が、集約画像に集約された第２方向（例えば縦方向）に並ぶ２つの非集約画像に対するタッチ位置がピンチアウトされたことを検出すると、制御部５が、２つの非集約画像を個別に集約画像の集約から解除する。本実施形態では、検出部３が、集約画像に集約された第３方向（例えば縦方向）に隣り合う２つの非集約画像に対するタッチ位置がピンチアウトされたことを検出すると、制御部５が、２つの非集約画像の間を通る境界線を境にして、集約画像を２つの画像に分離する。境界線は、表示部２の第３方向に直交する方向（例えば横方向）に伸びている。分離された２つの画像の各々では、集約は維持される。
【００７１】
詳しくは、検出部３が、集約画像に集約された複数の非集約画像のうち、例えば表示部２の縦方向に隣り合う２つの非集約画像の各々に対するタッチ位置がピンチアウトされたことを検出する。そして、制御部５は、検出部３の検出に基づいて、第２集約解除を実行する。第２集約解除は、２つの非集約画像の間を通って表示部２の横方向に伸びる境界線を境にして、集約画像を２つの画像に分離する処理である。
【００７２】
図９を参照して、第２集約解除の具体例を説明する。図９（ａ）は、第２集約解除の具体例を示す図である。図９（ｂ）は、図９（ａ）に示す第２集約解除によって集約解除された画像の一例を示す図である。
【００７３】
図９（ａ）に示すように、表示部２には、４つの画像Ｇ１４，Ｇ５，Ｇ６，Ｇ７が表示される。使用者が、画像Ｇ１４に集約された縦方向に隣り合う画像Ｇ１及び画像Ｇ３をマルチタッチしてピンチアウト操作する。そして、検出部３が、画像Ｇ１と画像Ｇ３とに対するタッチ位置がピンチアウトされたことを検出する。そして、制御部５は、検出部３の検出に基づいて、境界線Ｋ２を境にして、画像Ｇ１４を２つの画像Ｇ１２，Ｇ３４に分離する。
【００７４】
この結果、図９（ｂ）に示すように、画像Ｇ１４は、画像Ｇ１２及び画像Ｇ３４の２つの画像に分離される。画像Ｇ１２及び画像Ｇ３４は、左側から右側（即ちページ順）に並べられる。なお、境界線Ｋ２は、画像Ｇ１と画像Ｇ３との間を通って横方向に伸びている。
【００７５】
以上、図面（図１〜図９）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００７６】
１  表示装置
２  表示部
３  検出部
５  制御部
Ｋ１，Ｋ２  境界線
Ｇ１〜Ｇ７  画像
Ｇ１２，Ｇ２３，Ｇ３４，Ｇ１４，Ｇ２５，Ｇ３６  画像
【図１】
0006332228.tif 000002
【図２】
0006332228.tif 000003
【図３】
0006332228.tif 000004
【図４】
0006332228.tif 000005
【図５】
0006332228.tif 000006
【図６】
0006332228.tif 000007
【図７】
0006332228.tif 000008
【図８】
0006332228.tif 000009
【図９】
0006332228.tif 000010